(57)【特許請求の範囲】
【請求項１】
釣り糸の繰り出し及び巻き取りを行う両軸受リールであって、
所定の間隔をあけて対向するように配置された第１側板及び第２側板と、前記第１側板及び第２側板をそれぞれ覆う第１側カバー及び第２側カバーとを有するリール本体と、
前記リール本体に回転可能に支持されたスプールと、
前記リール本体に設けられた電気部品と、
前記第１側板と前記第１側カバーとの間に配置され、前記電気部品に接続される配線部材と、
前記第１側板に装着され、一端が前記第１側板から前記第１側カバー側に突出する回転部材と、
前記第１側板の前記第１側カバー側に設けられ、前記回転部材の一端を覆って前記回転部材と前記配線部材との接触を防止するための接触防止部材と、
を備えた両軸受リール。
【請求項２】
前記回転部材は前記スプールに連動して回転する、請求項１に記載の両軸受リール。
【請求項３】
前記回転部材は前記スプールに前記釣り糸を均一に巻き付けるレベルワインド機構である、請求項１又は２に記載の両軸受リール。
【請求項４】
前記回転部材は前記スプールの回転を検出するスプールセンサである、請求項２に記載の両軸受リール。
【請求項５】
前記第１側カバーに設けられ、前記配線部材が接続される給電用のコネクタ部をさらに備えている、請求項１から４のいずれかに記載の両軸受リール。
【請求項６】
前記電気部品は前記スプールを回転させるモータを駆動するモータ駆動回路である、請求項１から５のいずれかに記載の両軸受リール。
【請求項７】
前記電気部品は各種の電気制御を行うリール制御回路である、請求項１から６のいずれかに記載の両軸受リール。
【請求項８】
前記リール本体に設けられるカウンタケースをさらに備え、
前記電気部品は前記カウンタケース内に設けられている、請求項１から７のいずれかに記載の両軸受リール。
【請求項９】
前記配線部材は前記コネクタ部と前記電気部品とを接続するリード線である、請求項５に記載の両軸受リール。
【請求項１０】
前記配線部材は前記カウンタケース内に設けられた電気部品と前記カウンタケース外に設けられた電気部品とを接続するリード線である、請求項８又は９に記載の両軸受リール。
【請求項１１】
前記接触防止部材は前記配線部材を係止する係止部を有している、請求項１から１０のいずれかに記載の両軸受リール。
【請求項１２】
前記接触防止部材は前記第１側板にねじ止め固定されている、請求項１から１１のいずれかに記載の両軸受リール。
【発明の詳細な説明】
【０００１】
【発明の属する技術分野】
本発明は、両軸受リール、特に、釣竿に取り付けられ釣り糸の繰り出し及び巻き取りを行う両軸受リールに関する。
【０００２】
【従来の技術】
一般に、両軸受リールは、リール本体と、リール本体に回転自在に装着されたスプールと、スプールを回転させるためのハンドルとを備えている。リール本体は、所定の間隔をあけて対向するように配置された１対の側板と、１対の側板をそれぞれ覆う１対の側カバーとを有している。また、１対の側カバーの間には、たとえばスプール前方に、釣り糸をスプールに均一に巻き付けるためのレベルワインド機構の螺軸やスプールに連動して回転するスプールセンサのカウンタギア等の回転部材が設けられており、回転部材の装着部は側板から側カバー側に突出している。
【０００３】
この種の両軸受リールには、側板の一方と側カバーとの間にリード線等の配線部材が配置される手巻きのカウンタリールや、スプール回転用のモータを有する電動リール等がある。このような電動リールでは、たとえば側カバーの前方に装着されたコネクタ部から配線部材を介してモータに電力を供給している。
【０００４】
【発明が解決しようとする課題】
前記従来の両軸受リールでは、回転部材の装着部が側板から側カバー側に突出して設けられているので、たとえば側カバーのコネクタ部に配線部材が取り付けられた状態で側カバーを組み立てると、配線部材が回転部材に接触してしまうおそれがある。
【０００５】
本発明の課題は、両軸受リールにおいて、回転部材と配線部材との接触を防止することにある。
【０００６】
【課題を解決するための手段】
発明１に係る両軸受リールは、釣り糸の繰り出し及び巻き取りを行う両軸受リールであって、所定の間隔をあけて対向するように配置された第１側板及び第２側板と第１側板及び第２側板をそれぞれ覆う第１側カバー及び第２側カバーとを有するリール本体と、リール本体に回転可能に支持されたスプールと、リール本体に設けられた電気部品と、第１側板と第１側カバーとの間に配置され電気部品に接続される配線部材と、第１側板に装着され一端が第１側板から第１側カバー側に突出する回転部材と、第１側板の第１側カバー側に設けられ回転部材の一端を覆う接触防止部材とを備えている。
【０００７】
この両軸受リールでは、電気部品に接続される配線部材は第１側板と第１側カバーとの間に配置され、回転部材の一端は第１側板の第１側カバー側に突出している。ここでは、突出した回転部材の一端を覆う接触防止部材が設けられているので、回転部材と配線部材との接触を防止することができる。
発明２に係る両軸受リールは、発明１の両軸受リールにおいて、回転部材はスプールに連動して回転する。この場合、接触防止部材により回転部材と配線部材との接触を防止できるので、回転部材と連動するスプールの回転に影響を与えにくくなる。
【０００８】
発明３に係る両軸受リールは、発明１又は２の両軸受リールにおいて、回転部材はスプールに釣り糸を均一に巻き付けるレベルワインド機構である。たとえばリール本体の前方に設けられたレベルワインド機構の螺軸の第１側板装着部と配線部材との接触を防止することができる。また、レベルワインド機構の螺軸を回転させるためのギア機構が第１側板側に設けられている場合には、接触防止部材によりギア機構と配線部材との接触を防止することができる。
【０００９】
発明４に係る両軸受リールは、発明２の両軸受リールにおいて、回転部材はスプールの回転を検出するスプールセンサである。この場合、たとえば第１側板側に突出して設けられたスプールセンサのカウンタギア等のギア機構と配線部材との接触を防止することができる。
発明５に係る両軸受リールは、発明１から４のいずれかの両軸受リールにおいて、第１側カバーに設けられ、配線部材が接続される給電用のコネクタ部をさらに備えている。この場合、両端がコネクタ部及び電気部品にそれぞれ接続された配線部材と回転部材との接触を防止できる。なお、コネクタ部が第１側カバーの前方に設けられている場合、リール本体の前方に設けられたレベルワインド機構の螺軸と配線部材との接触防止の効果が顕著になる。
【００１０】
発明６に係る両軸受リールは、発明１から５のいずれかの両軸受リールにおいて、電気部品はスプールを回転させるモータを駆動するモータ駆動回路である。ここでは、たとえばＦＥＴ等のモータ駆動回路がモータの側部に設けられている場合、コネクタ部及びモータ駆動回路にそれぞれ接続される配線部材が回転部材に接触しやすくなるが、接触防止部材を設けることにより回転部材と配線部材との接触を確実に防止できる。
【００１１】
発明７に係る両軸受リールは、発明１から６のいずれかの両軸受リールにおいて、電気部品は各種の電気制御を行うリール制御回路である。この場合、たとえばスプールの回転数あるいは仕掛けの水深等の計測や、モータの回転あるいは液晶表示部の表示等の制御を行うＣＰＵ等の電気部品に接続された配線部材の回転部材との接触を防止できる。
【００１２】
発明８に係る両軸受リールは、発明１から７のいずれかの両軸受リールにおいて、リール本体に設けられるカウンタケースをさらに備え、電気部品はカウンタケース内に設けられている。ここでは、たとえばリール本体上方に設けられた直方体形状のカウンタケースの内部にモータ駆動回路やリール制御回路等の電気部品を設けた場合、これらの電気部品に接続される配線部材と回転部材との接触を防止できる。
【００１３】
発明９に係る両軸受リールは、発明５の両軸受リールにおいて、配線部材はコネクタ部と電気部品とを接続するリード線である。この場合、リード線と回転部材との接触を防止することにより、リード線の損傷を防ぐことができる。
発明１０に係る両軸受リールは、発明８又は９の両軸受リールにおいて、配線部材はカウンタケース内に設けられた電気部品とカウンタケース外に設けられた電気部品とを接続するリード線である。この場合、たとえばカウンタケース内に設けられたリール制御回路と、カウンタケース外のモータの側部に設けられたモータ駆動回路を含む電気部品とにそれぞれ接続されるリード線の損傷を防ぐことができる。なお、カウンタケース内に設けられたモータ駆動回路とカウンタケース外に設けられたモータとにそれぞれ接続されるリード線についても、同様の効果を奏する。
【００１４】
発明１１に係る両軸受リールは、発明１から１０のいずれかの両軸受リールにおいて、接触防止部材は配線部材を係止する係止部を有している。この場合、たとえば接触防止部材の第１側カバー側に突出する棒状の係止部を設け、この係止部に配線部材を係止することにより、配線部材を電気部品にスムーズに導くことができる。
【００１５】
発明１２に係る両軸受リールは、発明１から１１のいずれかの両軸受リールにおいて、接触防止部材は第１側板にねじ止め固定されている。この場合、たとえば回転部材の一端を覆う有底部材の開口にねじ止め用の耳部を設けることにより、接触防止部材を第１側板に容易に固定することができる。また、第１側板に袋ねじ部を立設し、回転部材を覆うように板状部材を袋ねじ部にねじ止め固定してもよい。
【００１６】
【発明の実施の形態】
本発明の一実施形態を採用した電動リールは、図１に示すように、釣竿Ｒに装着されるリール本体１と、リール本体１の側方に配置されたスプール回転用のハンドル２と、ハンドル２のリール本体１側に配置されたドラグ調整用のスタードラグ３とを主に備えている。
【００１７】
リール本体１は、所定の間隔を隔てて対向するように配置された第１側板６ａ及び第２側板６ｂと、第１側板６ａ及び第２側板６ｂの外方をそれぞれ覆う第１側カバー７ａ及び第２側カバー７ｂと、第１側板６ａ及び第２側板６ｂ間の前方を覆う前カバー８とを有している。第１側板６ａ及び第２側板６ｂはリール本体１の後方に形成されたサムレスト９により連結されている。第２側カバー７ｂにはクラッチ操作レバー１９が揺動自在に設けられている。また、第１側カバー７ａの前部側には、外部電源２５からコード３０を介して給電するためのコネクタ部１１が設けられている。コネクタ部１１には、図１及び図２に示すように、コード３０の先端に設けられたコードコネクタ部３２がねじ込まれている。
【００１８】
リール本体１の内部には、ハンドル２に連結されたスプール１０が回転自在に支持されている。スプール１０の内部には、スプール１０を釣り糸巻き上げ方向に回転駆動する直流駆動のモータ１２が配置されている。また、リール本体１の内部には、スプール１０に釣り糸を均一に巻き取るためのレベルワインド機構１３や、スプール１０の回転を検出するスプールセンサ１７（図４参照）等が設けられている。
【００１９】
レベルワインド機構１３は、図３に示すように、第１側板６ａ及び第２側板６ｂの間に固定されたガイド筒２６と、ガイド筒２６内に回転自在に配置され螺旋状溝が形成されたウォームシャフト２７と、図示しないラインガイドとを有している。また、ウォームシャフト２７の一端は、第１側板６ａから第１側カバー７ａ側に突出しており、たとえばＥリング等により抜け止めされている。レベルワインド機構１３の第１側カバー７ａ側突出部分を覆うように、接触防止部材６０が第１側板６ａにねじ止めされている。
【００２０】
スプールセンサ１７は、図４に示すように、第１側板６ａ側のスプール１０上部に設けられスプール１０の回転に連動して回転するカウンタギア２８と、カウンタギア２８の回転数を検出する図示しない１対のリードスイッチとを有している。カウンタギア２８は、第１側板６ａから第１側カバー７ａ側に露出しており、この露出面を覆うように接触防止部材６１が第１側板６ａにねじ止めされている。
【００２１】
リール本体１の上部には、図１に示すように、内部に空間を有するカウンタケース１４が固定されている。カウンタケース１４は、液晶ディスプレイからなる表示部１５と、カウンタケース１４の上面において表示部１５の周囲に配置された複数のスイッチからなるスイッチ操作部１６と、表示部１５やモータ１２を駆動するモータ駆動部２２等を制御するための制御部１８（図４参照）とを有している。
【００２２】
表示部１５は、水深の表示、棚及び底設定値の表示及び表示モードの表示を含む複数の表示を行うことができる。
スイッチ操作部１６は、表示部１５の図１右側に上下に並べて配置された速度調整スイッチＳＫ及びモータ１２のオン、オフ等を行うモータスイッチＰＷと、表示部１５の図１左側に前後に並べて配置されたさそいスイッチＩＢ、棚メモスイッチＴＢ及び底メモスイッチＳＢとを有している。
【００２３】
制御部１８は、図５に示すように、カウンタケース１４内に配置されたＣＰＵ、ＲＡＭ、ＲＯＭ、Ｉ／Ｏインターフェイス等を含むマイクロコンピュータを備えており、制御プログラムに沿って表示制御やモータ制御等の各種の制御動作を実行する。制御部１８には、スプール１０の回転方向及び回転速度を検出するための１対のリードスイッチからなるスプールセンサ１７と、スイッチ操作部１６とが接続されている。また、制御部１８には、警報用のブザー４１と、表示部１５と、モータ駆動部２２と、クラッチオン、オフ用のソレノイド４２と、海底や棚位置等の各種のデータを記憶するたとえばＥＥＰＲＯＭからなる記憶部４３と、他の入出力部とが接続されている。
【００２４】
モータ駆動部２２は、図３及び図４に示すように、モータ１２の側部に配置されている。モータ駆動部２２は、たとえばモータ１２を回転駆動させるＦＥＴであり、一端がモータ１２に接続され他端が複数の端子に接続されている。モータ駆動部２２の端子には、コネクタ部１１の端子と接続されるリード線５０ａと、制御部１８の端子と接続されるリード線５０ｂとが接続されている。
【００２５】
リード線５０ａは電力を供給する２本の配線部材である。リード線５０ｂは、電力を供給する２本の配線部材と、さらに２本の制御用の配線部材とにより構成されている。なお、コネクタ部１１、制御部１８及びモータ駆動部２２の端子とリード線５０ａ、５０ｂとの接点には、絶縁樹脂が充填されて封止処理及び絶縁処理が施されている。
【００２６】
このような電動リールでは、レベルワインド機構１３及びスプールセンサ１７の第１側板６ａから第１側カバー７ａ側に突出する部分を覆うように接触防止部材６０、６１が設けられている。このため、コネクタ部１１及びモータ駆動部２２、制御部１８及びモータ駆動部２２を接続するリード線５０ａ、５０ｂが、レベルワインド機構１３及びスプールセンサ１７に接触するのを防止することができる。
【００２７】
〔他の実施形態〕
（ａ）  前記実施形態では、電動リールを例にあげて説明したが、これに限定されるものではなく、たとえば手巻きのカウンタリール等の両軸受リールにも本発明を適用できる。
（ｂ）  前記実施形態において、回転部材は、レベルワインド機構１３及びスプールセンサ１７を例にあげて説明したが、たとえば第１側板６ａ側に設けられたレベルワインド機構１３に回転力を伝達するギア機構であってもよい。
【００２８】
（ｃ）  前記実施形態において、配線部材は、コネクタ部１１及びモータ駆動部２２、制御部１８及びモータ駆動部２２を接続するリード線５０ａ、５０ｂであったが、たとえばモータ駆動部２２がカウンタケース１４内に設けられている場合は、コネクタ部１１及びカウンタケース１４内のモータ駆動部２２、カウンタケース１４内のモータ駆動部２２及びカウンタケース１４外のモータ１２を接続するリード線であってもよい。
【００２９】
（ｄ）  前記実施形態では、接触防止部材６０、６１は、第１側板６ａにねじ止めされていたが、図６に示すように、第１側板６ａに突出部６ｃを立設し、レベルワインド機構１３及びスプールセンサ１７を覆うように接触防止部材６２を突出部６ｃに固定してもよい。
（ｅ）  前記実施形態では、接触防止部材６０、６１は、レベルワインド機構１３及びスプールセンサ１７をそれぞれ覆っていたが、図７に示すように、レベルワインド機構１３及びスプールセンサ１７を１つの接触防止部材６３で覆うようにしてもよい。
【００３０】
（ｆ）  図８に示すように、接触防止部材６４の第１側カバー７ａ側に突出する棒状の係止部６５を設け、この係止部６５にリード線５０ａを係止するようにしてもよい。この係止部６５にリード線５０ａを係止することにより、リード線５０ａをモータ駆動部２２にスムーズに導くことができる。
【００３１】
【発明の効果】
本発明によれば、両軸受リールにおいて、回転部材の一端を覆う接触防止部材が設けることにより、回転部材と配線部材との接触を防止できる。
【図面の簡単な説明】
【図１】本発明の一実施形態を採用した電動リールの平面図。
【図２】その側面図。
【図３】第１側板及び第１側カバー周辺の拡大断面図。
【図４】第１側カバーを取り外したときの一部断面側面図。
【図５】制御部を示すブロック図。
【図６】他の実施形態の図３に相当する図。
【図７】他の実施形態の図４に相当する図。
【図８】他の実施形態の図３に相当する図。
【符号の説明】
１  リール本体
２  ハンドル
６ａ  第１側板
６ｂ  第２側板
７ａ  第１側カバー
７ｂ  第２側カバー
１０  スプール
１１  コネクタ部
１２  モータ
１３  レベルワインド機構
１４  カウンタケース
１７  スプールセンサ
１８  制御部
２２  モータ駆動部
５０ａ、５０ｂ  リード線
６０〜６４  接触防止部材
６５  係止部
【図１】
0004420535.tif 000002
【図２】
0004420535.tif 000003
【図３】
0004420535.tif 000004
【図４】
0004420535.tif 000005
【図５】
0004420535.tif 000006
【図６】
0004420535.tif 000007
【図７】
0004420535.tif 000008
【図８】
0004420535.tif 000009